(57)【要約】      （修正有）【課題】手動工具に関し、特に、防振、耐摩耗、滑り止め、絶縁等の機能を備えた手動工具を提供する。【解決手段】使用者に手持ち並び効果的に力をかける部位を提供するために用いられる把持部２００と、把持部２００と連結し、異なる部品によって異なる形状を有する少なくとも１個の先端部３００と、手動工具の少なくとも一部の表面に設けられ、手動工具の使用で発生した振動及び作用力を効果的に吸収する弾性層４００と、弾性層４００の直上層に設けられ、弾性を持ち且つ伸縮できるため、手動工具のアセンブリの緩み及び磨耗を避けることができ、凹面、及び、凸面の紋様を備え、更に良好な滑り止め効果を提供できる保護層５００と、を含む。【選択図】図１ａ
0003184379.tif 000002
【実用新案登録請求の範囲】
【請求項１】
把持部と、
前記把持部と連結し、部品と結合できる少なくとも１個の先端部と、
前記手動工具の少なくとも一部の表面と連結する弾性層と、
前記弾性層の直上層に設けられると共に前記弾性層と密着に連結する保護層と、
を含むことを特徴とする手動工具。
【請求項２】
前記少なくとも１個の先端部の形状は、凸起のマイナス型、十字型、四角形、五角形、六角形、或いは、前記部品と咬み合うことができる他の形状とすることができる、ことを特徴とする請求項１に記載の手動工具。
【請求項３】
前記少なくとも１個の先端部の形状は、中空の四角形、五角形、六角形、十二角形、或いは、前記部品と咬み合うことができる他の形状とすることができる、ことを特徴とする請求項１に記載の手動工具。
【請求項４】
前記部品は、マイナスネジ、十字ネジ、四角ネジ、五角ネジ、六角ネジ、四角ボルト、五角ボルト、六角ボルト、十二角ボルト、釘、リベットとすることができる、ことを特徴とする請求項１に記載の手動工具。
【請求項５】
前記保護層は、触感が違う凸面と凹面からなる紋様を更に含む、ことを特徴とする請求項１に記載の手動工具。
【請求項６】
前記紋様の凸面は、滑り止め材を備えることができる、ことを特徴とする請求項５に記載の手動工具。
【請求項７】
前記紋様の凹面は、滑り止め材を備えることができる、ことを特徴とする請求項５に記載の手動工具。
【請求項８】
前記保護層の材料は、ポリオレフィン（Ｐｏｌｙｏｌｅｆｉｎ）とすることができる、ことを特徴とする請求項１に記載の手動工具。
【請求項９】
前記保護層の設置位置は、前記把持部、前記少なくとも１個の先端部、前記手動工具の突起部、凹み部、又は、曲がり部とすることができる、ことを特徴とする請求項１に記載の手動工具。
【請求項１０】
前記弾性層の設置位置は、前記把持部、前記少なくとも１個の先端部、前記手動工具の突起部、凹み部、又は、曲がり部とすることができる、ことを特徴とする請求項１に記載の手動工具。
【請求項１１】
前記弾性層は、ポリスチレン（Ｐｏｌｙｓｔｙｒｅｎｅ）、ポリエチレン（ｐｏｌｙｅｔｈｙｌｅｎｅ）、ポリウレタン（Ｐｏｌｙｕｒｅｔｈａｎｅ）、ポリ塩化ビニル（ＰｏｌｙＶｉｎｙｌ  Ｃｈｌｏｒｉｄｅ）、ポリプロピレン（Ｐｏｌｙｐｒｏｐｙｌｅｎｅ）等の材料とすることができる、ことを特徴とする請求項１に記載の手動工具。
【考案の詳細な説明】
【技術分野】
【０００１】
本考案は、手動工具に関し、特に、防振、耐磨耗、滑り止め、絶縁等の機能を備えた手動工具に関する。
【背景技術】
【０００２】
手動工具とは、使用者が手で握り、またこれを介して力をかけることを補助することで各種固定、ゆるみ、取外し等の目的を達成する工具をいう。よって手動工具を使用する時、使用者は手動工具と直接接触する。従来の手動工具の握り部は均しく硬質材料で、使用過程中に発生した振動及び作用力が使用者の手に伝達するため、手部の痺れ及び不快感が起き易く、且つ使用過程中において手のひらの汗、手についた油或いは手動工具自体に油汚れが付着すること等の状況が発生する。したがって使用者が効果的に力をかけることができなくなり、更にかけた力が不適切なことにより手動工具で誤って怪我をすること等の危険な情況が起きる恐れがある。また従来の手動工具は、常に金属等の良好な電気導体からなり、電力に関する作業を行う時、誤接触により感電状況が発生し易く、大電流の状態で誤接触した場合、使用者を更に大怪我させてしまう。
【０００３】
従来の手動工具は、異なるニーズによって各種留め具を使用できるため、部品に合わせて変更した各種形態を有することである。例えばマイナスドライバーはマイナスネジに合わせるために用いられ、四角レンチが四角ボルトに合わせて用いられる。各種異なる手動工具は異なる凹部、凸部、曲がり部及び異なるアセンブリを有し、使用過程において摩擦により損耗し続け、アセンブリも長期間の使用によりゆるみが起きる。そのため使用者は正確に力をかけることができなくなり、更に手動工具の緩みにより、手部に怪我をする危険な状況を招いてしまう。
【考案の概要】
【考案が解決しようとする課題】
【０００４】
本考案は、新規の手動工具を提供することにより、従来の手動工具で起きる使用者の手部の痺れ及び不快感、手のひらの汗、手についた油或いは手動工具自体に付着した油汚れ等により使用者が効果的に力をかけることができない状況、電力に関する作業の際の感電しやすい状況、長期使用下における手動工具の磨耗及び手動工具のアセンブリの緩み等の欠陥を改善する。
【課題を解決するための手段】
【０００５】
本考案に係る手動工具には、使用者に手持ち並び効果的に力をかける部位を提供するために用いられる把持部と、その把持部と連結し、異なる部品によって異なる形状を有するため部品と咬み合うことで使用者は手動工具で部品に力をかけさせることができる少なくとも１個の先端部と、手動工具の少なくとも一部の表面に設けられ、手動工具の使用で発生した振動及び作用力を効果的に吸収すると共に手動工具を使用する快適感をアップし、且つ手動工具を不注意で落とした場合、緩衝作用が働き、手動工具の落下によるアセンブリの緩みや分離を避け、誤って人体にぶつかった時の怪我を更に大幅に減少できる弾性層と、弾性層の直上層に密着すると共に弾性層と連結し、弾性を持ち且つ伸縮できるため、手動工具のアセンブリの緩み及び磨耗を避けることができ、絶縁特性を有し、且つ触感が異なる凹面及び凸面の紋様を備え、良好な滑り止め効果を提供し、使用者の手のひらの汗、手についた油或いは手動工具自体に付着した油汚れによる手動工具の滑り落ちる状況の発生を避ける保護層と、を含む。
【考案の効果】
【０００６】
以上に述べることから分かる通り、本考案の長所は、手動工具に設けられた弾性層が手動工具の使用で発生した振動及び作用力を効果的に吸収することで、手動工具を使用した際の快適感を大幅にアップすることができ、且つ手動工具が滑り落ち又は落下した場合、弾性層が更に効果的な緩衝を提供して手動工具のアセンブリの脱落或いは緩みを避け、誤って人体にぶつかって起きる怪我を減らすことができる。保護層は、手動工具の振動吸収力及び快適性を効果的に強化できる以外に、弾性層の直上層に密着するため、更に手動工具の部品を効果的に固定し、アセンブリの緩み及び磨耗状況の発生を大幅に減少し、手動工具の使用の便益性を向上できる。且つ保護層は、絶縁特性を持っているため、使用者が電気に関する作業を行う時に効果的に保護して感電を避けて危険の発生を減らすことができる。保護層は、更に触感が異なる凹凸紋様を有し、良好な滑り止め効果を提供し、手動工具の滑り落ち状況を効果的に避け、また使用者の正確的で且つ効果的に力をかけることに役立ち、手動工具の使用上の利便性を向上する。
【図面の簡単な説明】
【０００７】
【図１ａ】本考案に係る実施例１の手動工具を示す図である。
【図１ｂ】本考案に係る実施例１の手動工具の構造図である。
【図２】本考案に係る実施例２の手動工具を示す図である。
【図３ａ】本考案に係る実施例３の手動工具を示す図である。
【図３ｂ】本考案に係る実施例３の手動工具を示す他の図である。
【図４ａ】本考案に係る先端部の実施例１を示す図である。
【図４ｂ】本考案に係る先端部の実施例１を示す図である。
【図５ａ】本考案に係る先端部の実施例２を示す図である。
【図５ｂ】本考案に係る先端部の実施例２を示す図である。
【図６ａ】本考案に係る先端部の実施例３を示す図である。
【図６ｂ】本考案に係る先端部の実施例３を示す図である。
【図７】本考案に係る実施例４の手動工具を示す図である。
【図８】本考案に係る実施例５の手動工具を示す図である。
【考案を実施するための形態】
【実施例１】
【０００８】
図１ａを参照しながら説明する。図１ａは、本考案の実施例１である。手動工具１００には把持部２００、少なくとも１個の先端部３００、弾性層４００と保護層５００とを含む。該把持部２００は使用者に手持ち並びに効果的に力をかける部位を提供し、使用者がこれをもって力をかけて該手動工具１００を操作させるために用いられる。該少なくとも１個の先端部３００は、該把持部２００と連結し、部品と咬み合うために用いられるため、異なる該部品によって異なる形状及びアセンブリを備える必要がある。該少なくとも１個の先端部３００は、突起のマイナス型、十字型、四角形、五角形、六角形或いは中空の四角形、五角形、六角形、十二角形等とすることで、該部品と密着して咬み合うことができる。該部品は、マイナスネジ、十字ネジ、四角ネジ、五角ネジ、六角ネジ、四角ボルト、五角ボルト、六角ボルト、十二角ボルト、釘、リベット等とするため、使用者は該手動工具１００により該部品に対し容易に力をかけることができる。該弾性層４００は、１ｂに示すように該手動工具１００の少なくとも一部の表面に設けることができ、実施例１においては該把持部２００の表面に設けられる。該弾性層４００は、該手動工具１００の使用で発生した振動及び作用力を効果的に吸収するために用いられ、ポリスチレン（Ｐｏｌｙｓｔｙｒｅｎｅ）、ポリエチレン（ｐｏｌｙｅｔｈｙｌｅｎｅ）、ポリウレタン（Ｐｏｌｙｕｒｅｔｈａｎｅ）、ポリ塩化ビニル（ＰｏｌｙＶｉｎｙｌ  Ｃｈｌｏｒｉｄｅ）、ポリプロピレン（Ｐｏｌｙｐｒｏｐｙｌｅｎｅ）等の材料からなり、使用者が該手動工具１００を長期使用しても手部の痺れ或いは不快感が起きず、また該手動工具１００を使用する快適感をアップさせ、該手動工具１００を不注意に落とした場合でも、該弾性層４００は更に緩衝作用が働くため、誤って人体にぶつかった時に起きる怪我を大幅に減らすことができる。該保護層５００は、図１ｂに示すように該弾性層４００の直上層に設けられると共に該弾性層４００と連結し、ポリオレフィン（Ｐｏｌｙｏｌｅｆｉｎ）からなり、弾性を持ち且つ伸縮できて該弾性層４００の直上層に密着する。該弾性層４００と該保護層５００は、更に該手動工具１００の該把持部２００、該少なくとも１個の先端部３００、該手動工具１００の突起部、凹み部或いは曲がり部に設けることができる。実施例１において該保護層５００は該把持部２００の該弾性層４００の直上層に設けられる。該保護層５００は、弾性を持ち且つ伸縮できて該弾性層４００の直上層に密着するため、振動吸収力の強化及び作用力を除去できる以外に、更に該弾性層４００及び該手動工具１００のアセンブリを固定でき、アセンブリの緩みによる使用の不便性或いは手部又は人体が負傷する状況を予防でき、また該手動工具１００が直接外部に接触することを避け、該手動工具１００の磨耗状況を効果的に軽減できる。該保護層５００は、絶縁特性を持ち、感電の発生を効果的に防止できるため、使用者は電気に関する作業を行う時、安心して該手動工具１００を使用できる。
【実施例２】
【０００９】
図２を参照しながら説明する。該保護層５００は、該把持部２００の該先端部３００に近い位置、つまり使用者が該手動工具１００を把持する時手の指で挟持する位置に設けられる。該保護層５００の下に該弾性層４００が設けられるため、該手動工具１００の使用で発生した振動及び作用力を吸収できる。該保護層５００は、触感が異なる少なくとも１個の凸面５１１及び少なくとも１個の凹面５１２の紋様５１０を備える。該紋様５１０の該少なくとも１個の凸面５１１或いは該少なくとも１個の凹面５１２に滑り止め材が設けられることで、良好な滑り止め効果を提供できる。使用者は、手部或いは該手動工具１００の濡れ滑り、油汚れ付着の状態においても正確に力をかけることができ、該手動工具１００の安全性及び使用便益を効果的に向上する。
【実施例３】
【００１０】
図３ａ及び図３ｂは、本考案に係る実施例３の該把持部２００を示す図である。該把持部２００は、多種類の該少なくとも１個の先端部３００と結合できる。該弾性層４００及び該保護層５００は該把持部２００の全体に設けられ、該手動工具１００を使用する時該弾性層４００が振動及び作用力を効果的に吸収でき、該保護層５００が該弾性層４００の効果を強化する以外に、更に該保護層５００で該把持部２００を完全に覆うことにより、アセンブリを効果的に固定でき、該把持部２００が直接外部と接触することを避け、該把持部２００の磨耗及びアセンブリの緩みを効果的に防止できる。該弾性層４００及び該保護層５００で該把持部２００と該少なくとも１個の先端部３００の結合部を覆うことにより、更にアセンブリの結合使用時磨耗の状況を効果的に軽減し、該手動工具１００の使用寿命を向上できる。また該保護層５００は、触感が異なり且つ滑り止め材を設けることができる該少なくとも１個の凸面５１１及び該少なくとも１個の凹面５１２を備えるため、効果的に滑り止めできると共に使用者が力を正確にかけることに役立ち、該手動工具１００を更に簡単に使用することができる。
【００１１】
図４ａ、図４ｂ、図５ａと図５ｂは、該少なくとも１個の先端部３００の実施例で、図３ａ及び図３ｂに記載されている該把持部２００と結合することで使用者が把持できる該手動工具１００を構成できる。図４ａ及び図４ｂは該少なくとも１個の先端部３００の実施例１で、中空五角形の該少なくとも１個の先端部３００は、五角ボルトと咬み合うために用いられる。図５ａ及び図５ｂは該少なくとも１個の先端部３００の実施例２で、中空六角形の該少なくとも１個の先端部３００は、六角ボルトと咬み合うために用いられる。
【００１２】
図６ａ及び図６ｂは、該少なくとも１個の先端部３００の他の実施例３である。該少なくとも１個の先端部３００は、該把持部２００と結合した後自由に回転できる。該少なくとも１個の先端部３００さらに該弾性層４００及び該保護層５００を設け、該少なくとも１個の先端部３００が該部品と咬み合う時起きる磨耗及び手部或いは人体の誤接触による怪我状況の予防に役立ち、使用時に発生した振動及び作用力を吸収できる。
【実施例４】
【００１３】
図７は本考案の実施例４で、図に示すように該手動工具１００の少なくとも１個の突起部６００、少なくとも１個の凹み部７００と少なくとも１個の曲がり部８００は磨耗しやすい或いは使用者が誤って負傷しやすいゾーンであるため、該少なくとも１個の突起部６００と該少なくとも１個の凹み部７００及び該少なくとも１個の曲がり部８００を該弾性層４００及び該保護層５００で覆うことで、使用時に起きた振動及び作用力を効果的に吸収できるだけではなく、更に該手動工具１００の磨耗及び先鋭部により使用者が誤って負傷することを防止できる。
【実施例５】
【００１４】
図８は本考案の実施例５で、図に示すように該手動工具１００は、該両先端部３００を備え、該弾性層４００及び該保護層５００が該手動工具１００を完全で密着に覆い、振動及び作用力を効果的に吸収する以外に、該手動工具１００が直接外部又は人体と接触しないため、大幅に該手動工具１００の磨耗及びアセンブリの緩みの状況を軽減でき、且つ該手動工具１００が不注意で滑り落ちた場合、先鋭部により誤って人体を負傷させる危険が起きることを避け、大幅に該手動工具１００の安全性を高めることができる。
【００１５】
以上の述べたものは本考案の好ましい実施例のみであって、本考案はそのような具体例にのみ限定して狭義に解釈されるべきものではなく、本考案の実用新案登録請求範囲及び発明の詳細な説明に基づいて行う種々の改良変更をなし得る。これらの改良変更は本考案の保護の範囲に含まれるものであることは勿論である。
【符号の説明】
【００１６】
１００  手動工具
２００  把持部
３００  先端部
４００  弾性層
５００  保護層
５１０  紋様
５１１  凸面
５１２  凹面
６００  突起部
７００  凹み部
８００  曲がり部
【図１ａ】
0003184379.tif 000003
【図１ｂ】
0003184379.tif 000004
【図２】
0003184379.tif 000005
【図３ａ】
0003184379.tif 000006
【図３ｂ】
0003184379.tif 000007
【図４ａ】
0003184379.tif 000008
【図４ｂ】
0003184379.tif 000009
【図５ａ】
0003184379.tif 000010
【図５ｂ】
0003184379.tif 000011
【図６ａ】
0003184379.tif 000012
【図６ｂ】
0003184379.tif 000013
【図７】
0003184379.tif 000014
【図８】
0003184379.tif 000015